(57)【特許請求の範囲】
【請求項１】
天井に吊り下げられて設置される筐体の後部下面に空気の吸込口を有し、この吸込口に夫々独立して前記筐体に取り付けられ、フィルタを有する複数の吸込グリルを設けると共に、前記筐体内の前記後部側の背面に配置されたユニット電気品箱を備えた天吊形空気調和機において、
該天吊形空気調和機の据付後に前記複数の吸込グリルを取り外して前記複数の吸込グリルを取り外した箇所に取り付けられる昇降装置付吸込グリルであって、
１）駆動用モータとワイヤーとを有する昇降装置ユニットと、
２）複数の吸込グリルが連結部材で連結され、前記昇降装置ユニットの前記ワイヤーと接続されて前記駆動用モータにより昇降動作がなされる吸込グリルユニットと
を備えた昇降装置付吸込グリルと、
前記ユニット電気品箱の上に配置され、かつ、前記ユニット電気品箱と電気配線される前記昇降装置付吸込グリル用の電気品箱と
を備えたことを特徴とする天吊形空気調和機。
【請求項２】
前記天吊形空気調和機は、
前記筐体の前後中央付近から前方部分に亘って設けられ、冷媒と、前記吸込口に取り付けられた前記昇降装置付吸込グリルを介して吸い込まれた空気とを熱交換する熱交換器と、
前記熱交換器よりも前方に設けられ、前記熱交換器によって熱交換された空気が吹き出される吹出口と
を備え、
前記昇降装置付吸込グリルの前記吸込グリルユニットは、
複数の吸込グリルが、それぞれフィルタを有し、
前記ユニット電気品箱の前方側の面である前面、及び前記昇降装置付吸込グリル用の電気品箱の前方側の面である前面は、
前記それぞれのフィルタの後方側の縁部と、前後方向で、略同じ位置に位置することを特徴とする請求項１記載の天吊形空気調和機。
【発明の詳細な説明】
【技術分野】
【０００１】
この発明は、筐体が天井に吊り下げられて設置される天吊形空気調和機に関する。さらに詳しくは、天吊形空気調和機の据付後に、吸込グリルを昇降装置付吸込グリルに交換可能な天吊形空気調和機に関する。
【背景技術】
【０００２】
室内中の空気の塵埃を濾過する為のフィルタを有する空気調和機は、長時間の運転によりフィルタの目詰まりなどが生じ、消費電力の増加、異常停止、カビや異臭の原因となる為、定期的にフィルタを取り外して清掃する必要がある。特に最近、省エネ志向、健康志向の高まりから専門の業者だけでなく一般のユーザーが清掃を行うケースも増えている。
【０００３】
しかし、天井に据え付けられるようなタイプの空気調和機（例えば、天井埋め込み形、天吊形等）においては、脚立などを使って高い位置でフィルタを外す作業を強いられるケースが殆どであり、危険かつ非常に手間のかかる作業である。その為、定期的なフィルタ清掃さえ怠るケースも考えられ、そのような場合には前述のような不具合が生じやすい。
【０００４】
フィルタ清掃を簡単に実施する為の工夫として、例えば以下に示す空気調和機が提案されている。即ち、この空気調和機は、フィルタがセットされたグリルと、空気調和機の機械室内部や化粧パネルなどに設置された駆動用モータとをワイヤーで接続する。そして、駆動用モータでワイヤーを巻き上げあるいは送り出すことによりグリルの昇降動作を行う。従って、高所での作業を伴わずにフィルタの脱着を容易に実施することが可能である（例えば、特許文献１参照）。
【特許文献１】実用新案登録第２５１６８０１号公報
【発明の開示】
【発明が解決しようとする課題】
【０００５】
上記特許文献１のような従来の空気調和機において、通常は昇降装置はオプション販売されることが殆どである。そのため、空気調和機の機械室内部に駆動用モータなどを設置する作業を据え付け業者が実施せねばならない。
【０００６】
化粧パネルに駆動用モータを内蔵する構造をとる場合、駆動用モータ内蔵化粧パネルとしてオプション販売することも可能である。しかし、天吊形などの化粧パネルを有さない形態の空気調和機においては、前述のように空気調和機の機械室内部に駆動用モータなどを設置する作業は避けられない。
【０００７】
また、天吊形は吸込み口面積が大きく、グリルを複数有する場合が多いが、少ない数の駆動用モータで複数の吸込グリルを昇降させる為には、複数の吸込グリルを連結部材で連結した吸込グリルユニットを昇降させる必要がある。この複数の吸込グリルを連結する作業も据え付け業者が実施せねばならない。
【０００８】
また、動作確認や収納性の調整なども据え付け業者に依存する部分が大きく、製造業者が信頼性を高く維持することは容易ではない。
【０００９】
この発明は、上記のような課題を解決するためになされたもので、昇降装置付吸込グリルの据付現場における据付業者の作業工程の短縮、及び、昇降装置付吸込グリルの製造業者の動作確認や収納性確認などの出荷検査による吸込グリルユニット収納性に対する信頼性を高く維持することが可能な天吊形空気調和機を提供することを目的とする。
【課題を解決するための手段】
【００１０】
この発明に係る天吊形空気調和機は、天井に吊り下げられて設置される筐体の後部下面に空気の吸込口を有し、この吸込口に夫々独立して前記筐体に取り付けられ、フィルタを有する複数の吸込グリルを設けた天吊形空気調和機において、天吊形空気調和機の据付後に複数の吸込グリルを取り外して、以下に示す要素を具備した昇降装置付吸込グリルを取り付けることを特徴とする。
１）駆動用モータとワイヤーとを有する昇降装置ユニット；
２）複数の吸込グリルが連結部材で連結され、昇降装置ユニットのワイヤーと接続されて駆動用モータにより昇降動作がなされる吸込グリルユニット。
【発明の効果】
【００１１】
この発明に係る天吊形空気調和機は、吸込グリルユニットの昇降動作を実現する為に据付現場で据付業者が実施する作業は、昇降装置ユニットを天吊形空気調和機筐体に取り付け、吸込グリルユニットを昇降装置ユニット内のワイヤーと接続するだけであるので、複数の吸込グリルを連結部材で連結した吸込グリルユニットを組み立てたり、天吊形空気調和機筐体の機械室内部に駆動用モータを設置したりといった作業が省略できる。そのため、据付業者の作業工程を大幅に短縮することが可能である。
【００１２】
また、これまで吸込グリルユニットの収納性は据付業者の作業の正確性、あるいは据付業者による現地での調整に任されていたが、本発明によれば、製造業者が昇降装置ユニットと吸込グリルユニットを用いて、動作確認や収納性確認などの出荷検査を実施することが可能なので、信頼性を高く維持することが可能である。
【発明を実施するための最良の形態】
【００１３】
実施の形態１．
図１乃至図１２は実施の形態１を示す図で、図１は吸込グリル７の昇降装置を持たない天吊形空気調和機１００の断面図、図２は吸込グリル７の昇降装置を持たない天吊形空気調和機１００の吸込グリルを開いた状態の斜視図、図３は天吊形空気調和機１００に昇降装置付吸込グリル６０を取り付けた状態を示す正面図、図４は同右側面図、図５は天吊形空気調和機１００に昇降装置付吸込グリル６０を取り付け、吸込グリルユニット３０を下降させた状態を示す正面図、図６は同右側面図、図７は天吊形空気調和機１００吸込グリル７を取り外した状態の斜視図、図８は吸込グリル３２へのフィルタ３１の取付方法を示す図、図９はワイヤー５０の先端にフック部５０ａを取り付けた状態を示す図（（ａ）は完成図、（ｂ）は係合部５０ｂを引出した状態を示す図）、図１０は昇降装置ユニット２０のワイヤー５０との接続部付近を示す部分平面図、図１１は昇降装置リモコン７０を示す図、図１２はワイヤードリモコン８０の平面図である。
【００１４】
先ず、図１により、吸込グリルの昇降装置を持たない天吊形空気調和機１００の全体構成を説明する。天吊形空気調和機１００の筐体１は天井に吊り下げて据え付けられる。筐体１の内部には、冷凍サイクル（図示せず）により冷媒と室内空気とを熱交換する左右に広い幅の熱交換器２が設けられる。熱交換器２は、仕切板１ｂで仕切られた筐体１の前後中央付近から前方部分に亘って設けられる。熱交換器２は、熱交換面積を広くできるように前方に行くに従って上方に傾斜するように斜めに配置されている。そして、室内空気は、後方に配置した送風機３の回転により塵埃等を除去するフィルタ６を配置した吸込グリル７が着脱可能に装着された吸込口５より吸い込まれる。その後、熱交換器２にて熱交換され、前方の吹出口４より室内に吹き出される。吸込口５は、筐体１の後部下面に設けられる。
【００１５】
図２は吸込グリルの昇降装置を持たない天吊形空気調和機１００の吸込グリル７を開いた状態の斜視図である。この例では、吸込グリル７を２個使用している。吸込グリル７ａ、吸込グリル７ｂは、夫々独立して筐体１にネジ等により固定される。
【００１６】
図１、図２に示す吸込グリル７の昇降装置を持たない天吊形空気調和機１００は、既に述べたように吸込グリル７のフィルタの清掃が面倒である。そこで、天吊形空気調和機１００の据付後に吸込グリル７の昇降装置を取り付ける場合がある。
【００１７】
本実施の形態は、その場合に好適な昇降装置付吸込グリルについて述べるものである。
【００１８】
図３乃至図６を参照しながら昇降装置付吸込グリル６０の基本的な構成について説明する。昇降装置付吸込グリル６０は、昇降装置ユニット２０と、吸込グリルユニット３０とを備える。
【００１９】
既設の吸込グリル７を筐体１の吸込口５から取り外し、先ず昇降装置ユニット２０を、その取り外した箇所に取り付ける。昇降装置ユニット２０の本体２０ａ内には、駆動用モータ４０、減速ギア（図示せず）、ワイヤーが巻かれるプーリー（図示せず）等が収納される。駆動用モータ４０を制御する基板等が収納される昇降装置ユニット用電気品箱２０ｂは、図６に示すように、筐体１の後部背面に配置されるユニット電気品箱９（図７も参照）の上に設けられる。
【００２０】
昇降装置ユニット用電気品箱２０ｂを、ユニット電気品箱９の上に設ける理由は、以下の通りである。
（１）ユニット電気品箱９のメンテナンスの際に、昇降装置ユニット用電気品箱２０ｂが邪魔にならないようにする。
（２）昇降装置ユニット用電気品箱２０ｂは、製造業者の動作確認が十分になされているため、メンテナンスがほぼ不要である。
【００２１】
吸込グリルユニット３０は、複数の吸込グリル３２（図５、６の例では、２個）を有し、夫々がフィルタ３１を備える。そして、２個の吸込グリル３２は、連結部材３３ａ及び連結部材３３ｂで連結されている。連結部材３３ａは、吸込グリルユニット３０の前面側で２個の吸込グリル３２を連結する。連結部材３３ｂは、吸込グリルユニット３０の背面側で２個の吸込グリル３２を連結する。連結部材３３ａ及び連結部材３３ｂは、吸込グリルユニット３０にネジ締め等により固定される。尚、フィルタ３１は、既設のフィルタ６を流用してもよい。
【００２２】
吸込グリル３２へのフィルタ３１の取り付け方法の一例を図８に示す。吸込グリル３２は変形可能なレバー３２ａを有する。このレバー３２ａの先端にフックがあり、このフックがフィルタ３１に係合する。フィルタ３１を吸込グリル３２に取り付ける場合は、フィルタ３１を上から押し込めば、レバー３２ａが外側に変形する。また、フィルタ３１を吸込グリル３２から取り外す場合は、レバー３２ａを外側にたおす。
【００２３】
吸込グリルユニット３０は、昇降装置ユニット２０のワイヤー５０に接続される。図５、６の例では、左右２本、計４本のワイヤー５０に吸込グリルユニット３０が接続される。吸込グリルユニット３０とワイヤー５０との接続方法について説明する。
【００２４】
図９に示すように、昇降装置ユニット２０のワイヤー５０の先端に、例えば樹脂製のフック部５０ａを設ける。フック部５０ａの形状は、例えば略２段の円筒形である。その他、円錐形のものでもよい。フック部５０ａとワイヤー５０との係合は、図９（ｂ）に示すように、ワイヤー５０の先端に金属板を折り曲げてかしめられた係合部５０ｂを形成し、フック部５０ａと係合部５０ｂとを係合させる。
【００２５】
図１０に示すように、吸込グリルユニット３０に係合部５０ｂと係合するダルマ孔３０ｂを、左右端部に夫々２箇所設ける。この例では、計４個のダルマ孔３０ｂを吸込グリルユニット３０に設ける。ダルマ孔３０ｂは、鍵穴のように円形状部にそれより面積の小さい開口部が付いた形状になっている。ダルマ孔３０ｂの円形部分の径は、係合部５０ｂの外径よりも大きい。
【００２６】
昇降装置ユニット２０のワイヤー５０に、吸込グリルユニット３０を接続する場合は、係合部５０ｂをダルマ孔３０ｂの円形部分に挿入する。さらに円形状部より面積の小さい開口部側へ係合部５０ｂを移動して接続が完了する。このような構成であるから、吸込グリルユニット３０とワイヤー５０との接続を極めて簡単に行うことができる。
【００２７】
吸込グリルユニット３０とワイヤー５０との接続は、ワイヤー５０を引出して吸込グリルユニット３０を作業者が作業しやすい位置に降下させて行う。
【００２８】
次に、昇降装置ユニット２０を制御する基板（図示せず）を収納した昇降装置ユニット用電気品箱２０ｂを筐体１内に設置する（図６参照）。さらに昇降装置ユニット用電気品箱２０ｂとユニット電気品箱９等との電気配線を行う。
【００２９】
そして、図１１に示す昇降装置リモコン７０を用いて昇降装置ユニット２０を動作（上げる動作）させ、吸込グリルユニット３０を昇降装置ユニット２０の内部に納めて作業が完了する。昇降装置リモコン７０は、図１１に示すように、信号の送信部７０ａと、操作部７０ｂ（例えば、「上げる」、「止める」、「下げる」の操作）とを備える。
【００３０】
尚、昇降装置リモコン７０の代わりに、図１２に示すワイヤードリモコン８０を使用してもよい。
【００３１】
天吊形空気調和機１００のユーザーは、昇降装置リモコン７０の操作で駆動用モータ４０を作動させることができる。ワイヤー５０を巻き上げる方向に駆動用モータ４０を作動させることにより、吸込グリルユニット３０を上昇させ、昇降装置ユニット２０の本体２０ａに収納することができる。
【００３２】
反対に、昇降装置リモコン７０の操作でワイヤー５０を送り出す方向に駆動用モータ４０を作動させることにより、昇降装置ユニット２０の本体２０ａに収納されていた吸込グリルユニット３０をユーザーが容易に手の届く高さまで下降させることができる。
【００３３】
上記のような吸込グリルユニット３０の昇降動作を実現する為に、昇降装置付吸込グリル６０の据付現場で据付業者が実施する作業は、昇降装置ユニット２０を、天吊形空気調和機１００の筐体１に取り付け、吸込グリルユニット３０を昇降装置ユニット２０内のワイヤー５０と接続するだけである。従って、複数個の吸込グリル３２を連結部材３３ａおよび連結部材３３ｂで連結した吸込グリルユニット３０を組み立てたり、天吊形空気調和機１００の筐体１の機械室内部に駆動用モータ４０を設置したりといった作業が省略できる。そのため、据付業者の作業工程を大幅に短縮することが可能である。
【００３４】
また、これまで吸込グリルユニット３０の収納性は据付業者の作業の正確性、あるいは据付業者による現地での調整に任されていたが、本実施の形態によれば、製造業者が昇降装置ユニット２０と吸込グリルユニット３０を用いて、動作確認や収納性確認などの出荷検査を実施することが可能なので、信頼性を高く維持することが可能である。
【図面の簡単な説明】
【００３５】
【図１】実施の形態１を示す図で、吸込グリル７の昇降装置を持たない天吊形空気調和機１００の断面図。
【図２】実施の形態１を示す図で、吸込グリル７の昇降装置を持たない天吊形空気調和機１００の吸込グリルを開いた状態の斜視図。
【図３】実施の形態１を示す図で、天吊形空気調和機１００に昇降装置付吸込グリル６０を取り付けた状態を示す正面図。
【図４】実施の形態１を示す図で、同右側面図。
【図５】実施の形態１を示す図で、天吊形空気調和機１００に昇降装置付吸込グリル６０を取り付け、吸込グリルユニット３０を下降させた状態を示す正面図。
【図６】実施の形態１を示す図で、同右側面図。
【図７】実施の形態１を示す図で、天吊形空気調和機１００吸込グリル７を取り外した状態の斜視図。
【図８】実施の形態１を示す図で、吸込グリル３２へのフィルタ３１の取付方法を示す図。
【図９】実施の形態１を示す図で、ワイヤー５０の先端にフック部５０ａを取り付けた状態を示す図（（ａ）は完成図、（ｂ）は係合部５０ｂを引き出した状態を示す図）。
【図１０】実施の形態１を示す図で、昇降装置ユニット２０のワイヤー５０との接続部付近を示す部分平面図。
【図１１】実施の形態１を示す図で、昇降装置リモコン７０を示す図。
【図１２】実施の形態１を示す図で、ワイヤードリモコン８０の平面図。
【符号の説明】
【００３６】
１  筐体、１ｂ  仕切板、２  熱交換器、３  送風機、４  吹出口、５  吸込口、６  フィルタ、７  吸込グリル、７ａ  吸込グリル、７ｂ  吸込グリル、９  ユニット電気品箱、２０  昇降装置ユニット、２０ａ  本体、２０ｂ  昇降装置ユニット用電気品箱、３０  吸込グリルユニット、３０ｂ  ダルマ孔、３１  フィルタ、３２  吸込グリル、３２ａ  レバー、３３ａ  連結部材、３３ｂ  連結部材、４０  駆動用モータ、５０  ワイヤー、５０ａ  フック部、５０ｂ  係合部、６０  昇降装置付吸込グリル、７０  昇降装置リモコン、７０ａ  送信部、７０ｂ  操作部、８０  ワイヤードリモコン、１００  天吊形空気調和機。
【図１】
0004912242.tif 000002
【図２】
0004912242.tif 000003
【図３】
0004912242.tif 000004
【図４】
0004912242.tif 000005
【図５】
0004912242.tif 000006
【図６】
0004912242.tif 000007
【図７】
0004912242.tif 000008
【図８】
0004912242.tif 000009
【図９】
0004912242.tif 000010
【図１０】
0004912242.tif 000011
【図１１】
0004912242.tif 000012
【図１２】
0004912242.tif 000013